(57)【要約】【課題】店舗内に配設された異なる現金処理機間で人手を介した貨幣の移動をおこなう場合に、貨幣が帰属する現金処理機または人を管理し、もって人手を介した貨幣の受け渡しに伴う不正やミスを防止することを課題とする。【解決手段】レジスタ２０には、レジ係員の担当者ＩＤを登録し、レジスタ２０からの両替金出金時に担当者ＩＤを認識し、担当者ＩＤを含む両替依頼データ１３ａを管理装置１０の記憶部１３に格納し、両替補充機３０はこの両替依頼データ１３ａに基づく適正な入金時には両替金を出金し、両替金出金データ１３ｂを管理装置１０へ送信し、この両替金出金データ１３ｂを受信したレジスタ２０は、両替金出金データ１３ｂに基づく適正な入金時には入金完了データを管理装置１０に送信し、管理装置１０が該当する両替依頼データ１３ａおよび両替金出金データ１３ｂの消し込み処理をおこない、端末装置５０は、両替処理中の退勤操作を拒否する。【選択図】        図２
2005275806.tif 000002
【特許請求の範囲】
【請求項１】
商品の精算処理をおこなうレジに配設されたレジスタと、該レジスタとの間で貨幣の受け渡しをおこなう貨幣処理機とを有し、所定の操作員を介して前記貨幣が前記レジスタと前記貨幣処理機との間で受け渡される資金管理システムであって、
各操作員による出退勤操作に応答して出退勤を管理する出退勤管理手段と、
前記レジスタと前記貨幣処理機の間で前記操作員を介した前記貨幣の受け渡しがおこなわれている途中であるか否かを判定する判定手段と、
所定の操作員による退勤操作が受け付けられた際に、前記判定手段により当該操作員を介した前記貨幣の受け渡しがおこなわれている途中であると判定された場合には、前記出退勤管理手段に対する当該操作員の退勤操作を拒否するよう制御する制御手段と
を備えたことを特徴とする資金管理システム。
【請求項２】
所定の操作員による退勤操作が受け付けられた際に、前記判定手段により当該操作員を介した前記貨幣の受け渡しがおこなわれている途中であると判定された場合には、当該操作員に対して入金未完である旨を示す警告をおこなう警告手段をさらに備えたことを特徴とする請求項１に記載の資金管理システム。
【請求項３】
所定の操作員による退勤操作が受け付けられた際に、前記判定手段により当該操作員を介した前記貨幣の受け渡しがおこなわれている途中であると判定された場合には、入金未完の操作員による退勤がなされた旨を管理者に対して通知する通知手段をさらに備えたことを特徴とする請求項１または２に記載の資金管理システム。
【請求項４】
前記判定手段は、前記所定の操作員によって前記貨幣処理機で両替した貨幣を前記レジスタに収納する両替がなされる場合には、前記レジスタから両替用に用いる貨幣を出金してから前記貨幣処理機で両替した貨幣を当該レジスタに正常に入金されるまでの間が、前記貨幣の受け渡しがおこなわれている途中の期間であると判定することを特徴とする請求項１、２または３に記載の資金管理システム。
【請求項５】
前記判定手段は、前記所定の操作員によって前記貨幣処理機から出金された貨幣を前記レジスタに収納する補充がなされる場合には、前記貨幣処理機から出金された貨幣を当該レジスタに正常に入金されるまでの間が、前記貨幣の受け渡しがおこなわれている途中の期間であると判定することを特徴とする請求項１、２または３に記載の資金管理システム。
【請求項６】
前記判定手段は、前記所定の操作員によって前記レジスタ内の売上金を前記貨幣処理機に入金する売上金入金がなされる場合には、前記レジスタから売上金を出金してから当該売上金が前記貨幣処理機に入金されるまでの間が、前記貨幣の受け渡しがおこなわれている途中の期間であると判定することを特徴とする請求項１、２または３に記載の資金管理システム。
【請求項７】
前記判定手段は、前記所定の操作員によって前記レジスタ内の売上金を所定の売上金入金用カセットを用いて前記貨幣処理機に入金する売上金入金がなされる場合には、前記レジスタから前記売上金入金用カセットを取り外してから当該売上金入金用カセットが前記貨幣処理機に装着されるまでの間が、前記貨幣の受け渡しがおこなわれている途中の期間であると判定することを特徴とする請求項１、２または３に記載の資金管理システム。
【発明の詳細な説明】
【技術分野】
【０００１】
本発明は、スーパーマーケットなどの店舗における資金管理システムに関し、特に、レジ係員が店舗に配設された現金処理機に対して入金処理を完了していない場合には、その旨をレジ係員に対して早期に通知し、もってレジ係員の不在による原因究明の長期化を未然に防止することができる資金管理システムに関する。
【背景技術】
【０００２】
従来、スーパーマーケットなどの店舗内には、いわゆるレジと呼ばれる商品の精算場所を設けるとともに、このレジ内にレジスタと呼ばれる釣り銭機を配設し、レジ係員がレジスタを用いて顧客が購入する商品の精算処理をおこなうのが一般的である。なお、特許文献１には、ＰＯＳ（Point Of Sales）に対応可能なレジスタの一例が開示されている。
【０００３】
また、複数のレジを設けた店舗では、各レジスタとは別に両替補充機や売上金入金機などの現金処理機が配設される。この両替補充機とは、各レジスタで釣り銭用貨幣が不足する場合に貨幣の両替をおこなう現金処理機であり、具体的には、レジ係員がレジスタ内の一万円札を持って両替補充機の場所まで赴き、両替補充機で両替した１００円硬貨を持ってレジに戻り、レジスタ内にかかる１００円硬貨を補充することになる。また、レジスタ内に両替をする貨幣がないような場合には、両替補充機から補充用の釣り銭用貨幣を払い出し、この釣り銭用貨幣をレジスタ内に補充する。
【０００４】
一方、売上金入金機とは、各レジでの売上を入金するための現金処理機であり、たとえば、店舗が閉店する場合には、レジ係員が翌日の釣り銭用貨幣を除いたレジスタ内部の現金を持って売上金入金機の場所まで赴き、その現金を売上金として売上金入金機に入金することになる。
【０００５】
このように、店舗内には、レジスタ、両替補充機および売上金入金機といった役割の異なる複数の現金処理機が設けられ、これらの現金処理機間での貨幣の受け渡しはレジ係員が人手でおこなうのが通常である。
【０００６】
【特許文献１】特開平８−２３５４３９号公報
【発明の開示】
【発明が解決しようとする課題】
【０００７】
しかしながら、かかる現金処理機間での貨幣の受け渡しを人手を介しておこなうとなると、レジ係員が両替補充機から出金した貨幣をレジスタへ補充に向かう途中で顧客に呼び止められてしまい、結果的にレジスタへ貨幣を補充し忘れてしまうといった状況が生ずる可能性がある。
【０００８】
特に、レジ係員についてはアルバイト社員として採用されることが多いため、かかる状況が発覚したとしても、当該レジ係員から事情を聞き問題を解決するまでに時間を要する可能性が高い。
【０００９】
これらのことから、レジ係員が、店舗に配設されたレジスタ、両替補充機および売上金入金機などの現金処理機に対して入金処理を完了していない場合には、その旨をレジ係員に対して早期に通知し、もってレジ係員の不在による原因究明の長期化をいかに実現するかが重要な課題となっている。
【００１０】
この発明は、上記課題（問題点）に鑑みてなされたものであり、操作員が店舗に配設された現金処理機に対して入金処理を完了していない場合には、その旨を操作員に対して早期に通知し、もって操作員の不在による原因究明の長期化を未然に防止することができる資金管理システムおよび資金管理方法を提供することを目的とする。
【課題を解決するための手段】
【００１１】
上述した課題を解決するため、本発明は、商品の精算処理をおこなうレジに配設されたレジスタと、該レジスタとの間で貨幣の受け渡しをおこなう貨幣処理機とを有し、所定の操作員を介して前記貨幣が前記レジスタと前記貨幣処理機との間で受け渡される資金管理システムであって、各操作員による出退勤操作に応答して出退勤を管理する出退勤管理手段と、前記レジスタと前記貨幣処理機の間で前記操作員を介した前記貨幣の受け渡しがおこなわれている途中であるか否かを判定する判定手段と、所定の操作員による退勤操作が受け付けられた際に、前記判定手段により当該操作員を介した前記貨幣の受け渡しがおこなわれている途中であると判定された場合には、前記出退勤管理手段に対する当該操作員の退勤操作を拒否するよう制御する制御手段とを備えたことを特徴とする。
【００１２】
また、本発明は、上記発明において、所定の操作員による退勤操作が受け付けられた際に、前記判定手段により当該操作員を介した前記貨幣の受け渡しがおこなわれている途中であると判定された場合には、当該操作員に対して入金未完である旨を示す警告をおこなう警告手段をさらに備えたことを特徴とする。
【００１３】
また、本発明は、上記発明において、所定の操作員による退勤操作が受け付けられた際に、前記判定手段により当該操作員を介した前記貨幣の受け渡しがおこなわれている途中であると判定された場合には、入金未完の操作員による退勤がなされた旨を管理者に対して通知する通知手段をさらに備えたことを特徴とする。
【００１４】
また、本発明は、上記発明において、前記判定手段は、前記所定の操作員によって前記貨幣処理機で両替した貨幣を前記レジスタに収納する両替がなされる場合には、前記レジスタから両替用に用いる貨幣を出金してから前記貨幣処理機で両替した貨幣を当該レジスタに正常に入金されるまでの間が、前記貨幣の受け渡しがおこなわれている途中の期間であると判定することを特徴とする。
【００１５】
また、本発明は、上記発明において、前記判定手段は、前記所定の操作員によって前記貨幣処理機から出金された貨幣を前記レジスタに収納する補充がなされる場合には、前記貨幣処理機から出金された貨幣を当該レジスタに正常に入金されるまでの間が、前記貨幣の受け渡しがおこなわれている途中の期間であると判定することを特徴とする。
【００１６】
また、本発明は、上記発明において、前記判定手段は、前記所定の操作員によって前記レジスタ内の売上金を前記貨幣処理機に入金する売上金入金がなされる場合には、前記レジスタから売上金を出金してから当該売上金が前記貨幣処理機に入金されるまでの間が、前記貨幣の受け渡しがおこなわれている途中の期間であると判定することを特徴とする。
【００１７】
また、本発明は、上記発明において、前記判定手段は、前記所定の操作員によって前記レジスタ内の売上金を所定の売上金入金用カセットを用いて前記貨幣処理機に入金する売上金入金がなされる場合には、前記レジスタから前記売上金入金用カセットを取り外してから当該売上金入金用カセットが前記貨幣処理機に装着されるまでの間が、前記貨幣の受け渡しがおこなわれている途中の期間であると判定することを特徴とする。
【発明の効果】
【００１８】
本発明によれば、各操作員による出退勤操作に応答して出退勤を管理しておき、レジスタと貨幣処理機の間で操作員を介した貨幣の受け渡しがおこなわれている途中であるか否かを判定し、所定の操作員による退勤操作が受け付けられた際に、当該操作員を介した貨幣の受け渡しがおこなわれている途中であると判定された場合には、当該操作員の退勤操作を拒否するよう制御するよう構成したので、操作員が店舗に配設されたレジスタや貨幣処理機などの現金処理機に対して入金処理を完了していない場合には、操作員の店舗からの退勤を禁止し、もって操作員の不在による原因究明の長期化を未然に防止することができる。
【００１９】
また、本発明によれば、所定の操作員による退勤操作が受け付けられた際に、当該操作員を介した貨幣の受け渡しがおこなわれている途中であると判定された場合には、当該操作員に対して入金未完である旨を示す警告をおこなうよう構成したので、操作員がミスによって貨幣を持参したまま退勤しようとする場合に警告をおこなうことができる。
【００２０】
また、本発明によれば、所定の操作員による退勤操作が受け付けられた際に、当該操作員を介した貨幣の受け渡しがおこなわれている途中であると判定された場合には、入金未完の操作員による退勤がなされた旨を管理者に対して通知するよう構成したので、操作員が故意に貨幣を持参したまま退勤しようとする場合に管理者に警告をおこなうことができる。
【００２１】
また、本発明によれば、所定の操作員によって貨幣処理機で両替した貨幣をレジスタに収納する両替がなされる場合には、レジスタから両替用に用いる貨幣を出金してから貨幣処理機で両替した貨幣を当該レジスタに正常に入金されるまでの間が、貨幣の受け渡しがおこなわれている途中の期間であると判定するよう構成したので、操作員が貨幣の両替をおこなう途中で雑用などが入り、そのまま退勤しようとした場合のミスを防止することができる。
【００２２】
また、本発明によれば、所定の操作員によって貨幣処理機から出金された貨幣をレジスタに収納する補充がなされる場合には、貨幣処理機から出金された貨幣を当該レジスタに正常に入金されるまでの間が、貨幣の受け渡しがおこなわれている途中の期間であると判定するよう構成したので、操作員が貨幣の補充をおこなう途中で雑用などが入り、そのまま退勤しようとした場合のミスを防止することができる。
【００２３】
また、本発明によれば、所定の操作員によってレジスタ内の売上金を貨幣処理機に入金する売上金入金がなされる場合には、レジスタから売上金を出金してから当該売上金が貨幣処理機に入金されるまでの間が、貨幣の受け渡しがおこなわれている途中の期間であると判定するよう構成したので、操作員が売上金入金をおこなう途中で雑用などが入り、そのまま退勤しようとした場合のミスを防止することができる。
【００２４】
また、本発明によれば、所定の操作員によってレジスタ内の売上金を所定の売上金入金用カセットを用いて貨幣処理機に入金する売上金入金がなされる場合には、レジスタから売上金入金用カセットを取り外してから当該売上金入金用カセットが貨幣処理機に装着されるまでの間が、貨幣の受け渡しがおこなわれている途中の期間であると判定するよう構成したので、操作員が売上金入金をおこなう途中で雑用などが入り、そのまま退勤しようとした場合のミスを防止することができる。
【発明を実施するための最良の形態】
【００２５】
以下に添付図面を参照して、スーパーマーケットなどの流通店舗に対して本発明に係る資金管理システムを適用した場合の好適な実施例を説明する。なお、以下では、まず各実施例に共通する本発明に係る資金管理システムの概要および特徴を説明した後に、両替をおこなう場合（実施例１）、補充をおこなう場合（実施例２）、現金で売上金集金をおこなう場合（実施例３）、カセットを用いて売上金集金をおこなう場合（実施例４）についてそれぞれ説明することとする。
【００２６】
（概要および特徴）
まず、本発明に係る資金管理システムの概要について説明する。図１は、本発明に係る資金管理システムを採用した店舗内の概略構成を示す図である。店舗内には、商品を陳列する売場とこの売場から独立した事務所、入金ルーム、およびレジ係員などの従業員が出退勤する店舗外へと続く通用廊下とが設けられる。そして、売場には商品の精算処理をおこなう各レジにレジスタ２０がそれぞれ設けられ、事務所および入金ルームには両替補充機３０、売上金入金機４０および管理装置１０が設けられ、通用廊下には出退勤端末装置５０が設けられる。
【００２７】
出退勤端末装置５０は、レジ係員（操作員）が出勤および退勤の際に操作する出退勤記録装置であり、レジ係員が所持するＩＤカードの読み取り（リード）および出退勤区分を入力するための入力部と、退勤時に警告を発するための出力部などを有する。
【００２８】
レジスタ２０は、レジ係員（操作員）によって操作されるＰＯＳ対応の現金処理機であり、バーコードリーダやＰＯＳデータ送信部などのＰＯＳ関連処理をおこなう機能部と、レジ係員を識別するＩＤカードのリードを行なう入力部と、現金を収納するドロアを含む貨幣処理機と、貨幣の入出金制御などをおこなう制御部とを有する。レジ係員は、担当するレジにおいてレジ業務を開始する場合には、まず、レジ係員を識別する担当者ＩＤが記録されたＩＤカードをレジスタ２０にリードさせる。レジ係員が顧客により購入される各種商品の精算をおこなう際には、レジ係員は商品に付されたバーコードをバーコードリーダで読み取って顧客から代金を受け取り、必要な釣り銭を貨幣収納部から取り出して顧客に返金する。この場合、レシートには登録された担当者ＩＤに対応する担当者名があわせて出力される。また、貨幣収納部内の釣り銭が不足した場合には、レジ係員が両替補充機３０により貨幣の両替または出金を受けて釣り銭を補充する。さらに、閉店時などの締め時には、レジ係員がレジスタ２０から翌日の釣り銭用貨幣を除いた売上金を出金し、これを売上金入金機４０に入金する。なお、本発明では、ＰＯＳ関連処理をおこなう機能部については発明の特徴と直接的な関係がないため、ここではその詳細な説明を省略する。
【００２９】
両替補充機３０は、主としてレジスタ２０内に釣り銭が不足したような場合に備えて設けられた貨幣処理機であり、高額紙幣を指定された貨幣に両替する両替処理および入金なしに指定された貨幣を指定枚数出金する補充処理をおこなう。売上金入金機４０は、レジ係員が持参した各レジスタ２０の売上金を受け付けて収納部に収納する貨幣処理機であり、レジ係員が現金で売上金を入金する場合と、売上金収納カセットで入金する場合の両方に対応できる。レジ係員が両替・補充または売上金入金をおこなう場合には、これらの両替補充機３０および売上金入金機４０とレジスタ２０との間を貨幣とＩＤカードを持参して移動し、両替・補充または売上金入金をおこなうことになる。
【００３０】
管理装置１０は、各レジスタ２０と両替補充機３０または売上金入金機４０との間に介在する装置であり、主として両替、補充および売上金入金に係る処理をおこなう。具体的には、レジ係員により両替、補充および売上金入金がおこなわれたならば、これらの処理が適正に完了するまでその事実をこの管理装置１０で管理することにより、レジ係員によるミスや不正を防止することとしている。なお、ここでは説明の便宜上、管理装置１０と、各レジスタ２０、両替補充機３０、売上金入金機４０および出退勤端末装置５０とがそれぞれ接続された場合を示しているが、これらをＬＡＮ（Local Area Network）で接続しても良い。
【００３１】
次に、本発明に係る資金管理システムの特徴について説明する。すでに説明したように、従来よりスーパーマーケットなどの店舗には、レジスタ２０、両替補充機３０および売上金入金機４０がそれぞれ設けられており、釣り銭が不足する場合にはレジ係員が両替補充機３０に赴いて両替または出金を受けてレジスタ２０に収納し、締め時にはレジスタ２０の売上金を売上金入金機４０に入金することになる。
【００３２】
しかしながら、かかる現金処理機間（たとえばレジスタ２０と両替補充機３０の間）での貨幣の受け渡しを人手を介しておこなうとなると、レジ係員が貨幣を持ち歩く際の不正やミスが問題となる。特に、店舗に配設されるレジスタ２０は、銀行などに配設される現金処理機と異なり大量の貨幣を収納できないために、両替や補充の頻度が多くなる可能性があるので、かかる不正やミスが生じやすい。
【００３３】
そこで、本発明に係る資金管理システムでは、レジ係員に係員を特定するＩＤカードを貨幣とともに携行させ、ＩＤカードを各入出金装置にリードさせなければ、入出金を許可しない構成とするとともに、レジ係員が人手で入出金する貨幣とは別に両替、補充または現金入金に係る情報を管理装置１０に送信して管理装置１０がこれを管理し、受け渡しが正常に完了した時点でかかる情報を消し込むよう構成するとともに、レジ係員が入出金作業を完了せず退勤しようとした場合には、出退勤端末装置５０における退勤手続きにおいて警告を発するよう構成することで、レジ係員が貨幣を持ち歩く際の不正やミスを防止している。
【００３４】
なお、以下の実施例においては、レジスタ２０を担当するレジ員が、両替依頼から両替完了まで、補充依頼から補充完了まで、および入金依頼から入金完了までの一連の資金処理を行なうことを前提に、一連の資金処理をレジスタ２０に登録済みの担当者ＩＤで管理する構成とした。しかしながら、レジスタ２０を担当するレジ員以外の担当者が、一連の資金処理を行なう場合には、両替依頼、補充依頼および入金依頼をおこなった担当者ＩＤで管理する構成とすることもできる。
【００３５】
また、以下の実施例においては説明の便宜上、両替をおこなう場合（実施例１）、補充をおこなう場合（実施例２）、現金で売上金集金をおこなう場合（実施例３）、カセットを用いて売上金集金をおこなう場合（実施例４）に分けて説明するが、レジ係員が出勤してから退勤するまでには、両替依頼や補充依頼を複数回行い、レジ業務終了時には入金依頼を行なうことは通常であり、レジ係員が出勤してから、たとえば現金による売上金集金（実施例３）のみをおこなって、退勤する場合に本発明の実施を限定するものではない。
【実施例１】
【００３６】
本実施例１では、図１に示した両替補充機３０を用いて貨幣の両替処理をおこなう場合に本発明を適用した場合について説明する。まず、レジ係員による貨幣の入出金動作について説明する。かかる両替処理をおこなう場合には、レジ係員は、レジスタ２０から両替用貨幣（たとえば１万円札）を出金し、これを持参して両替補充機３０に赴く。そして、レジ係員は、この両替用紙幣を両替補充機３０に入金するとともに、両替後の貨幣金種（たとえば５００円硬貨）を選択して、５００円硬貨２０枚の出金を受ける。その後、レジ係員は、出金を受けた貨幣を持参してレジスタ２０に戻り、両替した貨幣（たとえば５００円硬貨２０枚）をレジスタ２０内に入金（収納）することになる。このように、両替をおこなう場合には、レジスタ２０からの出金、両替補充機３０への入金、両替補充機３０からの出金、レジスタ２０への入金という入出金行為を経て両替作業が完了するため、本実施例１では、レジスタ２０からの出金〜レジスタ２０への入金までを管理装置１０にて管理することとする。
【００３７】
図２は、本実施例１に係る資金管理システムのシステム構成を示す機能ブロック図である。同図に示すように、貨幣の両替をおこなう場合には、レジスタ２０、管理装置１０、両替補充機３０および出退勤端末装置５０が関与することになる。
【００３８】
レジスタ２０は、インターフェース部（Ｉ／Ｆ）２１、入力部２２、表示部２３、印字部２４、制御部２５および貨幣処理機２６を有する。なお、すでに説明したように、ＰＯＳ関連処理をおこなうバーコードリーダなどについては図示省略する。
【００３９】
インターフェース部（Ｉ／Ｆ）２１は、管理装置１０とのデータ送受信をおこなうための入出力部であり、入力部２２は、レジ係員からの入力操作を受け付けるキーボード、マウスおよびトラックボールなどのインターフェースである。この入力部２２をテンキーなどで形成する場合には、両替を示す特定のキーや金種を示すキーなどについても設けておく必要がある。
【００４０】
表示部２３は、商品の販売代金および商品の取引明細を表示する液晶パネルやディスプレイなどの表示デバイスであり、印字部２４は、商品取引に係る明細（レシート）を印字出力するプリンタなどの出力デバイスである。貨幣処理機２６は、現金を収納するドロアを含む貨幣関連処理をおこなう処理機である。
【００４１】
制御部２５は、レジスタ２０の全体制御をおこなう処理部であり、担当者ＩＤ登録部２５ａと、担当者ＩＤ認識部２５ｂと、判定部２５ｃと、両替依頼処理部２５ｄと、出金受付部２５ｅと、入金受付部２５ｆと、入金完了通知部２５ｇとを有する。なお、ここでは説明の便宜上、本来レジスタ２０がおこなう商品の精算処理をつかさどる精算処理部については図示省略している。
【００４２】
担当者ＩＤ登録部２５ａは、レジスタ２０を担当するレジ員の担当者ＩＤを保持する。担当者ＩＤを保持する理由は、レジの担当者は交代制であることが通常であるため、レジスタ２０の担当者を明確にしておく必要があるからである。レジ員は自己が受け持つレジで業務を開始するに先立って、自己のＩＤカードを入力部２２にリードさせ、本登録部が担当者ＩＤを保持する。
【００４３】
担当者ＩＤ認識部２５ｂは、レジスタ２０において両替依頼および両替済貨幣の入金をするレジ員の担当者ＩＤを保持する。該担当者ＩＤを保持する理由は、両替依頼および両替済貨幣の入金をするレジ係員を明確にするためである。レジ係員は両替処理および両替済貨幣の入金を行なうにあたり、自己のＩＤカードを入力部２２リードさせ、本認識部が担当者ＩＤを保持する。
【００４４】
判定部２５ｃは、管理装置１０から受け付けた両替金出金データに基づいて両替貨幣として入金された貨幣が正しいか否かを判定する処理部である。具体的には、両替補充機３０から両替した貨幣が出金された場合には、その出金金種、出金枚数およびレジスタＩＤを含む両替金出金データが管理装置１０を介してレジスタ２０に転送されるため、入金された貨幣の貨幣金種および貨幣枚数が正しいか否かを判定することになる。
さらに、判定部２５ｃは、担当者ＩＤ登録部２５ａに保持されている担当者ＩＤと、担当者ＩＤ認識部２５ｂに保持されている担当者ＩＤとが、一致するか否かを判定する処理部でもある。
【００４５】
両替依頼処理部２５ｄは、レジスタ２０から両替用貨幣（たとえば１万円）を出金した際に、管理装置１０に対して両替依頼データを送信して両替依頼をおこなう処理部である。ここで、この両替依頼データには、担当者ＩＤ、出金金額、レジスタＩＤおよび両替金種が含まれており、たとえばレジスタＩＤ１２３のレジスタ２０において、担当者ＩＤ１２３４５６７の担当者が、１万円札を５００円硬貨２０枚に両替したい場合には、担当者ＩＤ１２３４５６７、出金金額１万円、レジスタＩＤ１２３、両替金種５００円というデータを含む両替依頼データを管理装置１０に対して送信することになる。なお、出金金額および両替金種は、レジスタ２０のキーを用いて入力する。
【００４６】
出金受付部２５ｅは、両替についての、貨幣の出金を受付ける。具体的には、両替依頼処理部２５ｄにおいて、レジスタ２０のキーを用いて入力された、出金金額および両替金種に応じた貨幣を出金し、レジ員が貨幣を受け取る。
【００４７】
入金受付処理部２５fは、貨幣の入金を受付処理する処理部である。なお、この入金受付処理部２５fは、顧客が購入する商品を精算処理するための貨幣と両替補充機３０により両替された貨幣とを区別して入金受付する。その理由は、いくらの両替貨幣が入金されたのかを明らかにするためである。たとえば、レジスタ２０の貨幣投入口に貨幣が投入された際に、該貨幣を貨幣処理機２６に搬送して貨幣金種ごとに収納する機構が設けられている場合には、レジスタ２０上の特定のキー（両替後の入金を示すキー）を押した後に貨幣投入口に貨幣が投入された時点で、この入金貨幣を両替貨幣として入金受付する。一方、レジスタ２０に単なるドロアしか設けられておらず、このドロア内にレジ係員が貨幣を収納する場合には、レジスタ２０から特定のキーを押した後にキー入力された貨幣金種および貨幣枚数を入金受付処理する。
【００４８】
入金完了通知部２５ｇは、判定部２５ｃにより入金貨幣が正しいと判定された場合に、管理装置１０に対して入金完了データを送信する処理部である。かかる入金完了データを管理装置１０に送信する理由は、後述する管理装置１０での消し込みを可能にするためである。なお、判定部２５ｃにより入金貨幣が正しくないと判定された場合には、「入金貨幣が正しくない」等の表示を表示部２３に表示するエラー処理をおこなう。
【００４９】
次に、管理装置１０の構成について説明する。図２に示したように、この管理装置１０は、入力部１１、表示部１２、記憶部１３、制御部１４およびインターフェース部（Ｉ／Ｆ）１５を有する。
【００５０】
入力部１１は、管理者からの入力操作を受け付けるキーボード、マウスおよびトラックボールなどのインターフェースであり、表示部１２は、管理状況などを表示する液晶パネルやディスプレイなどの表示デバイスである。記憶部１３は、両替依頼データ１３ａを記憶するハードディスクなどの記憶媒体であり、インターフェース部（Ｉ／Ｆ）１５は、レジスタ２０および両替補充機３０との間でデータ授受するための入出力部である。
【００５１】
制御部１４は、管理装置１０の全体制御をおこなう制御部であり、データ転送処理部１４ａと消込制御部１４ｂとを有する。データ転送処理部１４ａは、レジスタ２０と両替補充機３０の間のデータ転送、および管理装置１０が管理する退勤管理データ１３ｃの出退勤端末装置５０への転送をおこなう処理部であり、記憶部１３へのデータの読み書きをもおこなう。具体的には、レジスタ２０から両替依頼データ１３ａを受信したならば、この両替依頼データ１３ａを記憶部１３に格納するとともに、両替補充機３０に転送する。また、両替補充機３０から両替金出金データ１３ｂを受信したならば、この両替金出金データ１３ｂを記憶部１３に記憶した両替依頼データ１３ａと対応づけて記憶するとともに、該両替金出金データ１３ｂをレジスタ２０に対して転送する。また、レジスタ２０から入金完了データを受信したならば、この入金完了データを消込制御部１４ｂに対して転送する。さらに、出退勤端末装置５０から退勤許否問い合わせがあったならば、記憶部に格納された退勤管理データ１３ｃを出退勤端末装置５０に対して転送する。
【００５２】
消込制御部１４ｂは、レジ係員がレジスタ２０への両替貨幣の入金を終えた両替依頼データ１３ａおよび両替金出金データ１３ｂの消し込みをおこなう制御部である。具体的には、貨幣の受け渡しを両替補充機３０から入金完了データを受信した場合に、記憶部１３に記憶した該当する両替依頼データ１３ａおよび両替金出金データ１３ｂを消去する。このため、記憶部１３にはレジスタ２０への両替貨幣の入金途中の両替依頼データ１３ａおよび両替金出金データ１３ｂのみが蓄積されることになる。したがって、一定期間消し込みがされない両替依頼データ１３ａおよび両替金出金データ１３ｂが記憶部１３に滞留する場合には、何らかの不正またはミスが生じた可能性があるとみなして、表示部１２に表示することができる。
【００５３】
次に、両替補充機３０の構成について説明する。図２に示したように、この両替補充機３０は、表示部３１、制御部３２、貨幣処理機３３およびインターフェース部（Ｉ／Ｆ）３５とを有する。なお、ここでは両替金種を両替依頼データとして送信することとしたので入力部を設けていないが、両替金種の入力または管理者による入力用の入力部を設けることもできる。
【００５４】
表示部３１は、両替状況などを表示する液晶パネルやディスプレイなどの表示デバイスであり、貨幣処理機３３は、現金を収納するドロアを含む貨幣関連処理をおこなう処理機であり、インターフェース部（Ｉ／Ｆ）３５は、管理装置１０との間のデータ授受をおこなうための入出力部である。
【００５５】
制御部３２は、両替補充機３０を全体制御する制御部であり、担当者ＩＤ認識部３２ａ、判定部３２ｂ、入金受付処理部３２ｃ、両替処理部３２ｄおよび両替金出金通知部３２ｅを有する。担当者ＩＤ認識部３２ａは、レジ係員が両替補充機３０にリードさせたＩＤカードから担当者ＩＤを抽出し保持する。
【００５６】
判定部３２ｂは、入金受付処理部３２ａで受付処理した貨幣の金額と管理装置１０を介してレジスタ２０から受け付けた両替依頼データ１３ａに含まれる出金金額（レジスタ２０からの出金金額）とを比較して両者が一致するか否かを判定する処理部である。具体的には、両者が一致する場合には、入金受付処理部３２ａで受付処理した貨幣が正しいものと判定して両替処理部３２ｃに両替指示をおこない、両者が一致しない場合にはエラー処理をおこなう。また、判定部３２ｂは、管理装置１０を介してレジスタ２０から受け付けた両替依頼データ１３ａに含まれる担当者ＩＤと、担当者ＩＤ認識部３２ａが保持する担当者ＩＤとを比較して両者が一致するか否かを判定する処理部でもある。具体的には、両者が一致する場合には、レジ係員による入金の受付を許可し、両者が一致しない場合にはエラー処理を行なう。
【００５７】
入金受付処理部３２ｃは、両替用としてレジスタ２０から出金された両替用貨幣（たとえば１万円札）を受付処理する処理部である。
【００５８】
両替処理部３２ｄは、判定部３２ｂから両替指示を受け付けた場合に、両替依頼データ１３ａ両替金種の貨幣を入金受付処理部３２ｃで受付処理した貨幣の金額分出金する処理部である。たとえば、入金受付処理部３２ｃで受付処理した貨幣が１万円札であり、両替依頼データ１３ａの両替金種が５００円である場合には、５００円硬貨２０枚を両替金として出金処理する。具体的には、かかる両替処理部３２ｄは、貨幣処理機３３に対して５００円硬貨２０枚の出金指示をおこなうことになる。
【００５９】
両替金出金通知部３２ｅは、両替処理部３２ｃの出金指示に応じて貨幣処理機３３が両替金の出金をおこなった後に、出金金種、出金枚数およびレジスタＩＤを含む両替金出金データ１２ｂを管理装置１０に対して送信する処理部である。かかる両替金出金データ１２ｂを送信する理由は、レジ係員が両替金をレジスタ２０へ入金する場合の不正やミスを防ぐためである。
【００６０】
次に、図２に示したレジスタ２０、管理装置１０および両替補充機３０の処理手順について説明する。図３は、図２に示したレジスタ２０、管理装置１０、両替補充機３０および出退勤端末装置５０の処理手順を示すフローチャートであり、図４−１〜図４−７は、レジ係員が両替をおこなう場合の概要およびその時点で受け渡されるデータの概要を示す図である。
【００６１】
なお、図４−１〜図４−７の前提条件として、レジ係員は、出退勤端末装置５０において出勤の受付（ステップＳ１０１）をおこない出勤時刻などの出力（ステップＳ１０２）が既になされているものとし、さらに、レジスタ２０においては、出勤したレジ係員によって、担当者ＩＤの登録（ステップＳ１０３）が既になされているものとする。具体的には、レジ係員は、出勤時に出退勤端末装置５０に自己が所持するＩＤカードをリードさせたのち、担当するレジに赴きレジ業務開始に先立って該ＩＤカードをレジスタ２０にリードさせ、レジスタ２０の担当者ＩＤの登録（ステップＳ１０３）において担当者ＩＤが保持される。
【００６２】
図４−１に示したように、レジ係員は自己を識別するＩＤカードを所持しており、両替依頼をする場合にはレジスタ２０において所定の操作を行い、ＩＤカードをレジスタ２０にリードさせる。そうすると、担当者ＩＤ認識（ステップＳ１０４）がおこなわれ、該両替依頼を行なったレジ員の担当者ＩＤが保持される。そして、レジスタ２０にあらかじめ登録されているレジ員の担当者ＩＤと両替依頼を行なったレジ員の担当者ＩＤを比較して両者が一致するか否かを判定する（ステップＳ１０５）。レジスタ２０を担当するレジ員により両替依頼が行なわれた場合（ステップＳ１０５肯定）には、レジスタ２０の両替依頼処理部２５ｂは、管理装置１０に対して両替依頼データ（担当者ＩＤ、出金金額、レジスタＩＤおよび両替金種）１３ａを送信する（ステップＳ１０６）とともに、レジ係員に対して両替用の貨幣を出金する（ステップＳ１０７）。そして、ＩＤカードを所持したレジ係員は、出金された貨幣を持参して両替補充機３０に赴く。一方、レジスタ２０を担当するレジ員以外のレジ員により両替依頼が行なわれた場合には（ステップ１０５否定）、表示部２３にエラー表示をするなどのエラー処理を行なうとともに、両替依頼を許可しない。
【００６３】
この両替依頼データ１３ａを受信した管理装置１０は、データ転送処理部１４ａにより両替依頼データ１３ａを記憶部１３に格納する（ステップＳ１０８）とともに、図４−２に示したように、この両替依頼データ１３ａを両替補充機３０に対して転送する（ステップＳ１０７）。そして、両替依頼データ１３ａに含まれる担当者ＩＤと退勤許可フラグが不許可である退勤管理データ１３ｃを記憶部１３に格納する。
【００６４】
図４−２に示したように、出金された貨幣を持参して両替補充機３０に赴くはずであったレジ係員が、この時点で、通用廊下の出退勤端末装置５０にＩＤカードをリードさせ退勤の受付（ステップＳ１１１）をおこなうと、該ＩＤカードから取得した担当者ＩＤを含む退勤許否問いあわせ（ステップＳ１１２）が管理装置１０に対しておこなわれる。管理装置１０は、本問い合わせに対して担当者ＩＤが一致する退勤管理データ１３ｃを記憶部１３からとりだし、出退勤端末装置５０に転送する（ステップＳ１１３）。そして、出退勤端末装置５０は転送された退勤管理データ１３ｃに含まれる退勤許可フラグが許可であるか不許可であるかを判定するが（ステップＳ１１４）、この時点における退勤許可フラグは不許可であるため（ステップＳ１１４否定）、警告処理（ステップＳ１１６）をおこなう。なお、ステップＳ１１４が否定であるため、出力処理（ステップＳ１１５）はおこなわれない。
【００６５】
図４−３に示したように、出金された貨幣を持参して両替補充機に赴いたレジ係員は、所持するＩＤカードを両替補充機３０にリードさせる。そうすると、担当者ＩＤ認識（ステップＳ１１７）がおこなわれ、当該リード処理をおこなったレジ員の担当者ＩＤが保持される。そして、両替依頼データ１３ａの担当者ＩＤと当該リード処理をおこなったレジ員の担当者ＩＤを比較して両者が一致するか否かを判定する（ステップＳ１１８）。両担当者ＩＤが一致する場合、すなわち、レジスタ２０において両替依頼をおこなったレジ係員本人であると確認された場合には入金が許可され（ステップＳ１１８肯定）、レジ係員は、持参した両替用貨幣を両替補充機３０に入金する（ステップＳ１１９）。一方、レジスタ２０において入金依頼をおこなったレジ係員と異なるレジ係員と確認された場合には（ステップ１１８否定）、表示部３１にエラー表示をするなどのエラー処理（ステップＳ１２３）をおこなうとともに、入金を許可しない。
【００６６】
そして、両替補充機３０の入金受付処理部３２ｃが、かかる両替用貨幣を入金処理したならば（ステップＳ１１９）、判定部３２ｂが、両替依頼データ１３ａに含まれる出金金額と入金受付処理部３２ｃが受付処理した貨幣の金額とを比較して両者が一致するか否かを判定する（ステップＳ１２０）。そして、両者が一致しない場合には（ステップＳ１２０否定）、表示部３１にエラー表示をする等のエラー処理をおこない（ステップＳ１２３）、両者が一致する場合には（ステップＳ１２０肯定）、両替処理部３２ｄにより両替処理をおこない（ステップＳ１２１）、両替金出金通知部３２ｅが管理装置１０に対して両替金出金データ１３ｂを送信する。
【００６７】
なお、図４−４に示したように、出金された両替貨幣を持参してレジスタ２０に赴くはずであったＩＤカードを所持したレジ係員が、この時点で通用廊下の出退勤端末装置５０において退勤処理をおこなおうとすると、管理装置１０の記憶部１３に格納されている退勤管理データ１３ｃの許可フラグは否定のままであるため、出退勤端末装置５０は警告処理をおこなう。
【００６８】
ＩＤカードを所持したレジ係員は、出金された両替貨幣を持参してレジスタ２０に赴く。図４―５では、金種５００円、枚数２０枚、レジスタＩＤ１２３を含む両替金出金データ１３ｂを管理装置１０に送信した場合を示している。
【００６９】
そして、管理装置１０が両替金出金データ１３ｂを受信したならば、データ転送処理部１４ａがこの両替金出金データ１３ｂを同じレジスタＩＤを持つ両替依頼データ１３ａと対応づけて記憶部に記憶するとともに（ステップＳ１２４）、該両替金出金データ１３ｂをレジスタ２０に対して転送する（ステップＳ１２５）。
【００７０】
そして、レジスタ２０がこの両替金出金データ１３ｂを受信した後に、ＩＤカードと出金された両替貨幣を持参したレジ係員が、ＩＤカードをレジスタ２０にリードさせたならば、担当者ＩＤ認識（ステップＳ１２６）がおこなわれ、認識された担当者ＩＤと両替レジスタ２０にあらかじめ登録されているレジ員の担当者ＩＤを比較して両者が一致するか否かを判定する（ステップＳ１２７）。両者が一致しない場合には、表示部２３にエラー表示を行なうとともにレジ係員の入金を許可しない。一方、両者が一致した場合には（ステップＳ１２７肯定）、レジ係員に入金を許可する。そして、入金受付処理部２５ａが両替金の入金を受け付けたならば（ステップＳ１２８）、判定部２５ｃは、入金受付処理部２５ｆが受け付けた入金金種×入金枚数（入金金額）と両替金出金データ１３ｂに含まれる出金金種×出金枚数（出金金額）とを比較して、両者が一致するか否かを判定する（ステップＳ１２９）。その結果、両者が一致しない場合には（ステップＳ１２９否定）エラー処理をおこない、両者が一致する場合には（ステップＳ１２９肯定）少なくとも担当者ＩＤとレジスタＩＤを含む入金完了データを図４―６に示したように管理装置１０に対して送信する（ステップＳ１３０）。
【００７１】
そして、管理装置１０がこの入金完了データを受信したならば、消込制御部１４ｂがこの入金完了データに対応する両替依頼データ１３ａおよび両替金出金データ１３ｂを記憶部１３から削除する消し込み処理をおこなう（ステップＳ１３２）とともに、担当者ＩＤが一致する退勤管理データ１３ｃの退勤許可フラグを許可に設定する（ステップＳ１３３）。
【００７２】
図４−７に示したように両替依頼処理が完了したこの時点で、ＩＤカードを持参したレジ係員が通用廊下の出退勤端末装置５０にＩＤカードをリードさせ退勤の受付をおこなうと（ステップＳ１３４）、該ＩＤカードから取得した担当者ＩＤを含む退勤許否問いあわせ（ステップＳ１３５）が管理装置１０に対しておこなわれる。管理装置１０は、本問い合わせに対して担当者ＩＤが一致する退勤管理データ１３ｃを記憶部１３からとりだし、出退勤端末装置５０に転送する（ステップＳ１３６）。そして、出退勤端末装置５０は転送された退勤管理データ１３ｃに含まれる退勤許可フラグが許可であるか不許可であるかを判定するが（ステップＳ１３７）、この時点における退勤許可フラグは許可であるため（ステップＳ１３７肯定）、退勤時刻などの出力処理をおこなう（ステップＳ１３８）。なお、ステップＳ１３７が肯定であるため、警告処理（ステップＳ１３９）はおこなわれない。
【００７３】
上記一連の処理をおこなうことにより、レジスタ２０への両替金の入金が適正に完了するまでは、管理装置１０の記憶部１３に両替依頼データ１３ａおよび両替金出金データ１３ｂが残るため、どのレジスタ２０において不正やミスが発生したかを把握することができる。
【００７４】
上述してきたように、本実施例１では、レジスタ２０から両替金を出金する時点で両替依頼データ１３ａを管理装置１０の記憶部１３に格納し、両替補充機３０はこの両替依頼データ１３ａに基づく適正な入金がおこなわれた場合には、両替金の出金をおこなうとともに両替金出金データ１３ｂを管理装置１０に送信し、この両替金出金データ１３ｂを受信したレジスタ２０は、両替金出金データ１３ｂに基づく適正な入金がおこなわれた場合には入金完了データを管理装置１０に送信し、管理装置１０が該当する両替依頼データ１３ａおよび両替金出金データ１３ｂの消し込み処理をおこなうよう構成したので、レジ係員が両替補充機３０に貨幣を入金して両替金を出金し、出金した両替用貨幣をレジスタ２０に入金する場合に、レジスタ２０および両替補充機３０の入出金を正確に把握することができる。あわせて、本実施例１では、レジ係員は自己の担当者ＩＤを格納したＩＤカードを所持することとし、当該ＩＤカードを使用してレジスタ２０にはあらかじめレジを担当するレジ係員の担当者ＩＤを登録し、両替処理に伴うレジスタ２０における両替依頼、両替補充機３０における両替用貨幣の入金、およびレジスタ２０における両替済貨幣の入金の際に、担当者ＩＤの一致を条件に補充依頼および貨幣の入出金を許可するよう構成したので、レジ係員とともに移動する貨幣の所在を正確に把握することができる。さらに、本実施例１では、両替依頼から両替処理が完了するまでの両替処理未完状態の退勤管理データを管理装置１０において管理し、両替処理未完状態においてレジ係員が出退勤端末装置５０で退勤処理をおこなうと警告を発するよう構成したので、もって人手を介した貨幣の両替に伴う不正やミスを防止することができる。
【実施例２】
【００７５】
本実施例２では、図１に示した両替補充機３０を用いて貨幣の補充処理をおこなう場合に本発明を適用した場合について説明する。ここで言う補充とは、上記実施例１で示した両替とは異なり、両替補充機３０に貨幣を入金することなく出金することを指している。まず、レジ係員による貨幣の入出金動作について説明する。かかる補充処理をおこなう場合には、レジ係員は、レジスタ２０から両替補充機３０に赴き、この両替用紙幣から補充用貨幣の出金を受ける。その後、レジ係員は、出金を受けた貨幣を持参してレジスタ２０に戻り、補充用貨幣をレジスタ２０内に入金（収納）することになる。このように、補充をおこなう場合には、両替補充機３０からの出金、レジスタ２０への入金という入出金行為を経て補充作業が完了するため、本実施例２では、両替補充機３０からの出金〜レジスタ２０への入金までを管理装置１０にて管理することとする。
【００７６】
図５は、本実施例２に係る資金管理システムのシステム構成を示す機能ブロック図である。同図に示すように、貨幣の補充をおこなう場合には、レジスタ２０、管理装置１０、両替補充機３０および出退勤端末装置５０が関与することになる。なお、実施例１に示した機能部と同様の機能を有する機能部については同一符号を付すこととしてその詳細な説明を省略する。
【００７７】
レジスタ２０は、インターフェース部（Ｉ／Ｆ）２１、入力部２２、表示部２３、印字部２４、制御部２５および貨幣処理機２６を有しており、この制御部２５は、補充依頼処理部２５ｈおよび補充完了通知部２５ｉを備えている。なお、制御部２５の補充依頼処理部２５ｈおよび補充完了通知部２５ｉ以外の機能部は実施例１のものと同様の機能部であるため、ここではその説明を省略する。
【００７８】
補充依頼処理部２５ｈは、レジスタ２０から貨幣の補充を両替補充機３０に依頼する場合に機能する処理部であり、具体的には、担当者ＩＤ、補充金額、補充枚数およびレジスタＩＤを含む補充依頼データ１３ｄを管理装置１０に送信する。
【００７９】
補充完了通知部２５ｉは、両替補充機３０から出金された補充用貨幣をレジスタ２０内に補充完了した旨を管理装置１０に通知する処理部であり、具体的には、補充完了データを管理装置１０に対して送信する。
【００８０】
管理装置１０は、入力部１１、表示部１２、記憶部１３、制御部１４およびインターフェース部（Ｉ／Ｆ）１５を有する。制御部１４は、データ転送処理部１４ａ、消込制御部１４ｂおよび判定部１４ｃを有する。
【００８１】
データ転送処理部１４ａは、図２で説明した実施例１のものとほぼ同様に機能するが、記憶部１３に記憶するデータは、退勤管理データ１３ｃおよび補充依頼データ１３ｄとなる。消込制御部１４ｂは、図２で説明した実施例１のものと同様に機能するが、判定部１４ｃからの判定結果に応じて消込制御を実行する点がやや異なる。
【００８２】
判定部１４ｃは、レジスタ２０から補充完了データを受信した場合に、その補充の適否を判定する処理部であり、具体的には、補充額が適正なものであるか否かを調べ、適切であれば消込制御部１４ｂに対して補充依頼データ１３ｄの消し込みをおこなうよう指示する。
【００８３】
このように、ここでは図２に示した実施例１と異なり判定部による判定処理をレジスタ２０側ではなく管理装置１０側でおこなうこととした。このため、レジスタ２０への入金が適正であるか否かを判断する判断部をレジスタ２０から除外している。ただし、図２に示した実施例１と同様にレジスタ２０側で判定をおこない、その判定結果に応じて管理装置１０が消し込みをおこなうよう制御しても構わない。
【００８４】
両替補充機３０は、表示部３１、制御部３２、貨幣処理機３３およびインターフェース部（Ｉ／Ｆ）３５とを有する。そして、この制御部３２は、出金処理部３２ｆと、出金完了通知部３２ｇとを備える。つまり、実施例１に示した両替と異なり、本実施例２が対象とする補充の場合には、両替補充機３０に対する入金行為が発生しないため、この入金に関連する処理が除外されている。
【００８５】
出金処理部３２ｆは、補充依頼データ１３ｄに含まれる補充金種の貨幣を補充枚数分出金する処理をおこなう処理部であり、出金完了通知部３２ｇは、出金が完了した場合に出金完了データを管理装置１０に対して送信する処理部である。
【００８６】
次に、図５に示したレジスタ２０、管理装置１０および両替補充機３０の処理手順について説明する。図６は、図５に示したレジスタ２０、管理装置１０および両替補充機３０の処理手順を示すフローチャートであり、図７−１〜図７−６は、レジ係員が補充をおこなう場合の概要およびその時点で受け渡されるデータの概要を示す図である。なお、実施例１と同様に、出退勤端末装置５０においては、出勤の受付（ステップＳ２０１）および出勤時刻などの出力（ステップＳ２０２）が既になされており、レジスタ２０においては、担当者ＩＤの登録（ステップＳ２０３）が既になされているものとする。
【００８７】
図７−１に示したように、レジ係員がレジスタ２０内の貨幣が不足したと判断したならば、レジ係員はレジスタ２０において所定の操作をおこない、自己が所持するＩＤカードをレジスタ２０にリードさせる。そうすると、担当者ＩＤ認識（ステップＳ２０４）がおこなわれ、当該補充依頼を行なったレジ員の担当者ＩＤが保持される。そして、レジスタ２０にあらかじめ登録されているレジ員の担当者ＩＤと補充依頼を行なったレジ員の担当者ＩＤを比較して両者が一致するか否かを判定する（ステップＳ２０５）。レジスタ２０を担当するレジ員により補充依頼が行なわれた場合（ステップＳ２０５肯定）には、補充依頼処理部２５ｅは、管理装置１０に対して補充依頼データ１３ｄ（補充金種、補充枚数およびレジスタＩＤ）を送信する（ステップＳ２０６）。そして、ＩＤカードを所持したレジ係員は、両替補充機３０に赴く。一方、レジスタ２０を担当するレジ員以外のレジ員により補充依頼が行なわれた場合には（ステップ２０５否定）、表示部２３にエラー表示をするなどのエラー処理を行なうとともに、補充依頼を許可しない。
【００８８】
この補充依頼データ１３ｄを受信した管理装置１０は、データ転送処理部１４ａにより補充依頼データ１３ｄを記憶部１３に格納した後に（ステップＳ２０７）、図７−２に示したように、この補充依頼データ１３ｄを両替補充機３０に対して転送する（ステップＳ２０８）。そして、補充依頼データ１３ｄに含まれる担当者ＩＤと退勤許可フラグが不許可である退勤管理データ１３ｃを記憶部１３に格納する（ステップＳ２０９）。
【００８９】
そして、ＩＤカードを保持して両替補充機３０に赴くはずであったレジ係員が、この時点で、通用廊下の出退勤端末装置５０にＩＤカードをリードさせ退勤の受付（ステップＳ２１０）をおこなうと、該ＩＤカードから取得した担当者ＩＤを含む退勤許否問いあわせ（ステップＳ２１１）が管理装置１０に対しておこなわれる。管理装置１０は、本問い合わせに対して担当者ＩＤが一致する退勤管理データ１３ｃを記憶部１３からとりだし、出退勤端末装置５０に転送する（ステップＳ２１２）。そして、出退勤端末装置５０は転送された退勤管理データ１３ｃに含まれる退勤許可フラグが許可であるか不許可であるかを判定するが（ステップＳ２１３）、この時点における退勤許可フラグは不許可であるため（ステップＳ２１３否定）、警告処理（ステップＳ２１５）をおこなう。この場合、ステップＳ２１３が否定であるため、出力処理（ステップＳ２１４）はおこなわれない。なお、本実施例２には示していないが、両替補充機３０の出金後、レジスタ２０への入金前にレジ係員が退勤の受付をした場合においても、同様に警告処理をおこなう。
【００９０】
図７−３に示したように、両替補充機に赴いたレジ係員は、所持するＩＤカードを両替補充機３０にリードさせる。そうすると、担当者ＩＤ認識（ステップＳ２１６）がおこなわれ、補充依頼データ１３ｄの担当者ＩＤと一致する場合、すなわち、レジスタ２０において補充依頼をおこなったレジ係員本人であると確認された場合には、出金処理（ステップＳ２１８）がおこなわれる。
【００９１】
両替補充機３０は、補充依頼データ１３ｄを受け付け、かつ、補充依頼をおこなったレジ係員本人であると確認したならば、出金処理部３２ｆが、補充依頼データ１３ｄに含まれる補充金種の貨幣を補充枚数分出金した後（ステップＳ２１８）、出金完了通知部３２ｇが管理装置１０に対して出金完了データを送信する（ステップＳ２１９）。この出金完了データには、補充用貨幣として出金された補充金種、補充枚数およびレジスタＩＤを含ませておく。
【００９２】
一方、両替補充機３０から出金された補充用貨幣は、図７−４に示したように、ＩＤカードを所持したレジ係員がレジスタ２０に持参する。レジ係員がＩＤカードをレジスタ２０にリードさせたならば、担当者ＩＤ認識（ステップＳ２２１）がおこなわれ、認識された担当者ＩＤと両替レジスタ２０にあらかじめ登録されているレジ員の担当者ＩＤを比較して両者が一致するか否かを判定する（ステップＳ２２２）。両者が一致しない場合には、表示部２３にエラー表示を行なうとともにレジ係員の入金を許可しない。一方、両者が一致した場合には（ステップＳ２２２肯定）、レジ係員に入金を許可する。
【００９３】
レジスタ２０が、かかる補充用貨幣の入金を受付処理したならば（ステップＳ２２３）、補充完了データを管理装置１０に対して送信する（ステップＳ２２４）。この補充完了データには、担当者ＩＤ、補充用貨幣として入金された補充金種、補充枚数およびレジスタＩＤを含ませておく。
【００９４】
そして、図７−５に示したように、管理装置１０が補充完了データを受信したならば、補充の適否を判定し（ステップＳ２２６）、補充額が正しい場合には（ステップＳ２２７肯定）、消し込み処理をおこなう（ステップＳ２２８）とともに、補充完了データに含まれる担当者ＩＤと一致する退勤管理データ１３ｃの退勤許可フラグを許可に設定する（ステップＳ２２９）。一方、補充額が正しくない場合には（ステップＳ２２７否定）、エラー処理をおこなう（ステップＳ２３６）。具体的には、出金完了データに含まれる補充金種×補充枚数（出金金額）と、補充完了データに含まれる補充金種×補充枚数（入金金額）とを比較して両者が一致するか否かを判定し、両者が一致する場合には補充額が正しいと判定することになる。
【００９５】
図７−６に示したように補充依頼処理が完了したこの時点で、ＩＤカードを持参したレジ係員が通用廊下の出退勤端末装置５０にＩＤカードをリードさせ退勤の受付をおこなうと（ステップＳ２３０）、該ＩＤカードから取得した担当者ＩＤを含む退勤許否問いあわせ（ステップＳ２３１）が管理装置１０に対しておこなわれる。管理装置１０は、本問い合わせに対して担当者ＩＤが一致する退勤管理データ１３ｃを記憶部１３からとりだし、出退勤端末装置５０に転送する（ステップＳ２３２）。そして、出退勤端末装置５０は転送された退勤管理データ１３ｃに含まれる退勤許可フラグが許可であるか不許可であるかを判定するが（ステップＳ２３３）、この時点における退勤許可フラグは許可であるため（ステップＳ２３３肯定）、退勤時刻などの出力処理をおこなう（ステップＳ２３４）。なお、ステップＳ２３３が肯定であるため、警告処理（ステップＳ２３５）はおこなわれない。
【００９６】
上記一連の処理をおこなうことにより、レジスタ２０への補充金の入金が適正に完了するまでは、管理装置１０の記憶部１３に補充依頼データ１３ｄが残るため、どのレジスタ２０において不正やミスが発生したかを把握することができる。また、レジスタ２０における補充依頼、両替補充機３０における補充用貨幣の出金、およびレジスタ２０における補充用貨幣の入金の際に、ＩＤカードによりレジ員を確認する構成としたので、どのレジ員について不正やミスが発生したかを把握することができる。
【００９７】
上述してきたように、本実施例２では、レジスタ２０から補充依頼データ１３ｄを管理装置１０の記憶部１３に格納し、両替補充機３０はこの補充依頼データ１３ｄに基づく出金をおこなうとともに出金完了データを管理装置１０に送信し、レジスタ２０は、レジ係員による補充金の入金がおこなわれた場合には補充完了データを管理装置１０に送信し、管理装置１０が補充金の適否をチェックし、補充金が妥当である場合には、補充依頼データ１３ｄの消し込み処理をおこなうよう構成したので、レジ係員が両替補充機３０から補充金を出金してレジスタ２０に入金する場合に、レジスタ２０および両替補充機３０の入出金を正確に把握することができる。あわせて、本実施例２では、レジ係員は自己の担当者ＩＤを格納したＩＤカードを所持することとし、当該ＩＤカードを使用してレジスタ２０にはあらかじめレジを担当するレジ係員の担当者ＩＤを登録し、補充処理に伴うレジスタ２０における補充依頼、両替補充機３０における補充用貨幣の出金、レジ２０における補充用貨幣の入金の際に、担当者ＩＤの一致を条件に補充依頼および貨幣の入出金を許可するよう構成したので、レジ係員とともに移動する貨幣の所在を正確に把握することができる。さらに、本実施例２では、補充依頼から補充処理が完了するまでの補充処理未完状態の退勤管理データを管理装置１０において管理し、補充処理未完状態においてレジ係員が出退勤端末装置５０で退勤処理をおこなうと警告を発するよう構成したので、もって人手を介した貨幣の補充に伴う不正やミスを防止することができる。
【実施例３】
【００９８】
本実施例３では、図１に示したレジスタ２０内の売上金を現金のまま売上金入金機４０に入金する場合について説明する。売上金を入金する際には、レジ係員は、レジスタ２０に存在する貨幣のうちその後必要となる釣り銭を除いた貨幣（売上金）をレジスタ２０から出金し、レジ係員は、出金を受けた貨幣を持参して売上金入金機４０に赴き、売上金を売上金入金機４０に入金することになる。このように、売上金を入金する場合には、レジスタからの出金並びに売上金入金機４０への入金により売上金入金作業が完了するため、本実施例３では、レジスタ２０からの出金〜売上金入金機４０への入金までを管理装置１０にて管理することとする。
【００９９】
図８は、本実施例３に係る資金管理システムのシステム構成を示す機能ブロック図である。同図に示すように、売上金の入金をおこなう場合には、レジスタ２０、管理装置１０、売上金入金機４０および出退勤端末装置５０が関与することになる。なお、実施例１に示した機能部と同様の機能を有する機能部については同一符号を付すこととしてその詳細な説明を省略する。
【０１００】
レジスタ２０は、インターフェース部（Ｉ／Ｆ）２１、入力部２２、表示部２３、印字部２４、制御部２５および貨幣処理機２６を有しており、この制御部２５は、入金依頼処理部２５ｊを有する。なお、入金依頼処理部２５ｊ以外の機能部は実施例１のものと同様の機能部であるため、ここではその説明を省略する。
【０１０１】
入金依頼処理部２５ｊは、売上金を出金する際に売上金の入金を示す入金依頼データ１３ｅを管理装置１０に対して送信する処理部である。この入金依頼データ１３ｅは、担当者ＩＤ、売上金金額およびレジスタＩＤを有するデータである。かかる入金依頼データ１３ｅを送信する理由は、担当するレジ員を明確にするため、および売上金入金機４０への売上金の入金時に適正な額の貨幣が入金されているか否かを判定するためである。
【０１０２】
管理装置１０は、入力部１１、表示部１２、記憶部１３、制御部１４およびインターフェース部（Ｉ／Ｆ）１５を有する。制御部１４は、データ転送処理部１４ａおよび消込制御部１４ｂを有する。このデータ転送処理部１４ａおよび消込制御部１４ｂは図２に示した実施例１と同様の処理をおこなうものであるが、記憶部１３には入金依頼データ１３ｅを格納し、転送対象となるデータについても入金依頼データ１３ｅとなる点でやや異なる。
【０１０３】
売上金入金機４０は、閉店時などの所定の締め時に各レジスタ２０に存在する売上金（翌日の釣り銭を除いたもの）の入金を受け付ける装置であり、表示部４１、制御部４２、貨幣収納部４３およびインターフェース部４４を有する。
【０１０４】
表示部４１は、売上金の入金状況などを表示するディスプレイや液晶パネルなどの表示デバイスであり、貨幣収納部４３は、売上金として入金された貨幣を収納する貨幣処理部であり、インターフェース部４４は、管理装置１０との間でデータ授受をおこなうための入出力部である。
【０１０５】
制御部４２は、売上金入金機４０の全体を制御する制御部であり、担当者ＩＤ識別部４２ａ、判定部４２ｂ、入金受付処理部４２ｃ、入金処理部４２ｄおよび入金完了通知部４２ｅを有する。担当者ＩＤ認識部３２ａは、レジ係員が売上金入金機にリードさせたＩＤカードから担当者ＩＤを取得し保持する。
【０１０６】
判定部４２ｂは、入金受付処理部４２ａから入金した売上金の金額と入金依頼データ１３ｅに含まれる売上金金額とを比較して、両者が一致するか否かを判定する処理部であり、両者が一致しない場合にはエラー処理をおこなう。
また、判定部４２ｂは、管理装置１０を介してレジスタ２０から受け付けた入金依頼データ１３ｅに含まれる担当者ＩＤと、担当者ＩＤ認識部４２ａが保持する担当者ＩＤとを比較して両者が一致するか否かを判定する処理部でもある。
【０１０７】
入金受付処理部４２ｃは、図２に示した実施例１の両替補充機３０が有する入金受付処理部３２ｃなどと同様の処理をおこなう処理部であり、売上金としての貨幣の入金処理をおこなう。
【０１０８】
入金処理部４２ｄは、判定部４２ｂにより金額が一致すると判定された場合に、入金受付処理部４２ｃから入金した売上金を正しい売上金であると認めて貨幣収納部４３に収納する処理をおこなう処理部である。
【０１０９】
入金完了通知部４２ｅは、入金処理部４２ｄによる売上金の入金処理が正常に終えた後に入金完了データを管理装置１０に対して送信する処理部である。かかる入金完了データを送信する理由は、管理装置１０での入金依頼データ１３ｅの消し込みを可能にするためである。
【０１１０】
次に、図８に示したレジスタ２０、管理装置１０、売上金入金機４０および出退勤端末装置５０の処理手順について説明する。図９は、図８に示したレジスタ２０、管理装置１０、売上金入金機４０および出退勤端末装置５０の処理手順を示すフローチャートであり、図１０−１〜図１０−４は、レジ係員が売上金の入金をおこなう場合の概要およびその時点で受け渡されるデータの概要を示す図である。なお、実施例１と同様に、出退勤端末装置５０においては、出勤の受付（ステップＳ３０１）および出勤時刻などの出力（ステップＳ３０２）が既になされており、レジスタ２０においては、担当者ＩＤの登録（ステップＳ３０３）が既になされているものとする。
【０１１１】
図１０−１に示したように、レジ係員がレジスタ２０内の売上金を売上金入金機４０に入金する場合には、レジ係員はレジスタ２０において所定の操作をおこない、自己が所持するＩＤカードをレジスタ２０にリードさせる。そうすると、担当者ＩＤ認識（ステップＳ３０４）がおこなわれ、当該入金依頼を行なったレジ員の担当者ＩＤが保持される。そして、レジスタ２０にあらかじめ登録されているレジ員の担当者ＩＤと入金依頼を行なったレジ員の担当者ＩＤを比較して両者が一致するか否かを判定する（ステップＳ３０５）。レジスタ２０を担当するレジ員により入金依頼が行なわれた場合（ステップＳ３０５肯定）には、入金依頼処理部２５ｊは管理装置１０に対して、担当者ＩＤ、出金金額およびレジスタＩＤを含む入金依頼データ１３ｅを送信する（ステップＳ３０４）とともに、レジ係員に対して売上金入金用の貨幣を出金する（ステップＳ３０６）。そして、ＩＤカードを所持したレジ係員は、売上金入金機４０に赴く。一方、レジスタ２０を担当するレジ員以外のレジ員により入金依頼が行なわれた場合には（ステップ３０５否定）、表示部２３にエラー表示をするなどのエラー処理（ステップＳ３０８）を行なうとともに、入金依頼を許可しない。
【０１１２】
この入金依頼データ１３ｅを受信した管理装置１０は、データ転送処理部１４ａにより入金依頼データ１３ｅを記憶部１３に格納した後に（ステップＳ３０９）、図１０−１に示したように、この入金依頼データ１３ｅを売上金入金機４０に対して転送する（ステップＳ３１０）。そして、入金依頼データ１３ｅに含まれる担当者ＩＤと退勤許可フラグが不許可である退勤管理データ１３ｃを記憶部１３に格納する（ステップＳ３１１）。
【０１１３】
図１０−２に示したように、出金された貨幣を持参して売上金入金機４０に赴くはずであったレジ係員が、この時点で、通用廊下の出退勤端末装置５０にＩＤカードをリードさせ退勤の受付（ステップＳ３１２）をおこなうと、該ＩＤカードから取得した担当者ＩＤを含む退勤許否問いあわせ（ステップＳ３１３）が管理装置１０に対しておこなわれる。管理装置１０は、本問い合わせに対して担当者ＩＤが一致する退勤管理データ１３ｃを記憶部１３からとりだし、出退勤端末装置５０に転送する（ステップＳ３１４）。そして、出退勤端末装置５０は転送された退勤管理データ１３ｃに含まれる退勤許可フラグが許可であるか不許可であるかを判定するが（ステップＳ３１５）、この時点における退勤許可フラグは不許可であるため（ステップＳ３１５否定）、警告処理（ステップＳ３１７）をおこなう。なお、ステップＳ３１５が否定であるため、出力処理（ステップＳ３１６）はおこなわれない。
【０１１４】
図１０−３に示したように、売上金入金機４０に赴いたレジ係員は、所持するＩＤカードを売上金入金機４０にリードさせる。そうすると、担当者ＩＤ認識（ステップＳ３１８）がおこなわれ、当該リード処理をおこなったレジ員の担当者ＩＤが保持される。そして、入金依頼データ１３ｅに含まれる担当者ＩＤと当該リード処理をおこなったレジ員の担当者ＩＤを比較して両者が一致するか否かを判定する（ステップＳ３１９）。両担当者ＩＤが一致する場合、すなわち、レジスタ２０において入金依頼を行なったレジ係員本人であると確認された場合には入金が許可され（ステップＳ３１９肯定）、レジ係員は、持参した売上金入金用貨幣を売上金入金機４０に入金する（ステップＳ３２０）。一方、レジスタ２０において入金依頼を行なったレジ係員と異なるレジ係員と確認された場合には（ステップＳ３１９否定）、表示部４１にエラー表示をするなどのエラー処理（ステップＳ３２４）をおこなうとともに、入金を許可しない。
【０１１５】
売上金入金機４０が、入金依頼データ１３ｅを受け付けるとともに、レジ係員が持参した売上金の入金を受け付けたならば、判定部４２ｂが、入金依頼データ１３ｅに含まれる売上金額と入金された売上金の金額とを比較し、両者が一致するか否かを判定する（ステップＳ３２１）。そして、両者が一致しない場合には（ステップＳ３２１否定）エラー処理をおこない（ステップＳ３２４）、両者が一致する場合には（ステップＳ３２１肯定）、入金処理部４２ｄが売上金の入金処理をおこなった後に（ステップＳ３２２）、図１０−３に示したように入金完了データを管理装置１０に対して送信する（ステップＳ３２３）。この入金完了データには、担当者ＩＤおよびレジスタＩＤを含ませておく。
【０１１６】
管理装置１０がこの入金完了データを受け付けたならば、消込制御部１４ｂが記憶部１３に記憶した入金依頼データ１３ｅの消し込み処理をおこなう（ステップＳ３２５）とともに、入金依頼データ１３ｅに含まれる担当者ＩＤと一致する退勤管理データ１３ｃの退勤許可フラグを許可に設定する（ステップＳ３２６）。
【０１１７】
図１０−４に示したように入金依頼処理が完了したこの時点で、ＩＤカードを持参したレジ係員が通用廊下の出退勤端末装置５０にＩＤカードをリードさせ退勤の受付をおこなうと（ステップＳ３２７）、該ＩＤカードから取得した担当者ＩＤを含む退勤許否問いあわせ（ステップＳ３２８）が管理装置１０に対しておこなわれる。管理装置１０は、本問い合わせに対して担当者ＩＤが一致する退勤管理データ１３ｃを記憶部１３からとりだし、出退勤端末装置５０に転送する（ステップＳ３２９）。そして、出退勤端末装置５０は転送された退勤管理データ１３ｃに含まれる退勤許可フラグが許可であるか不許可であるかを判定するが（ステップＳ３３０）、この時点における退勤許可フラグは許可であるため（ステップＳ３３０肯定）、退勤時刻などの出力処理をおこなう（ステップＳ３３１）。なお、ステップＳ３３０が肯定であるため、警告処理（ステップＳ３３２）はおこなわれない。
【０１１８】
上記一連の処理をおこなうことにより、レジスタ２０から出金した売上金が売上金入金機４０へ適正に入金されるまでは、管理装置１０の記憶部１３に入金依頼データ１３ｅが残るため、どのレジスタ２０において売上金入金時の不正やミスが発生したかを把握することができる。また、レジスタ２０における入金依頼、売上金入金機４０における入金の際に、ＩＤカードによりレジ員を確認する構成としたので、どのレジ員について不正やミスが発生したかを把握することができる。
【０１１９】
上述してきたように、本実施例３では、レジスタ２０からの売上金の出金時に該レジスタ２０から送信された入金依頼データ１３ｅを管理装置１０の記憶部１３に格納し、売上金入金機４０はこの入金依頼データ１３ｅに基づく売上金の入金をおこなうとともに入金完了データを管理装置１０に送信し、管理装置が入金依頼データ１３ｅの消し込み処理をおこなうよう構成したので、レジ係員がレジスタ２０から出金した売上金を売上金入金機４０へ入金する場合に、レジスタ２０および売上金入金機４０の入出金を正確に把握することができる。あわせて、レジスタ２０における入金依頼および売上金入金機４０における売上金入金用貨幣の入金の際に、ＩＤカードによりレジ員を確認する構成としたので、どのレジ員について不正やミスが発生したかを把握することができる。さらに、本実施例３では、入金依頼から入金処理が完了するまでの入金処理未完状態の退勤管理データを管理装置１０において管理し、入金処理未完状態においてレジ係員が出退勤端末装置５０で退勤処理をおこなうと警告を発するよう構成したので、もって人手を介した貨幣の入金に伴う不正やミスを防止することができる。
【実施例４】
【０１２０】
本実施例４では、図１に示したレジスタ２０内の売上金を売上金回収用カセットを用いて売上金入金機４０に入金する場合について説明する。売上金を入金する際には、レジ係員は、レジスタ２０に存在する売上金回収用カセット２８をレジスタ２０から取り出し、レジ係員は、この売上金回収用カセット２８を持参して売上金入金機４０に赴き、売上金回収用カセット２８を売上金入金機４０に装着することになる。このように、売上金回収用カセット２８を用いて売上金を入金する場合には、レジスタからの売上金回収用カセット２８を取り外し並びに売上金入金機４０へ売上金回収用カセット２８の装着により売上金入金作業が完了するため、本実施例４では、レジスタ２０からの売上金回収用カセット２８の取り外し〜売上金入金機４０への売上金回収用カセット２８の装着までを管理装置１０にて管理することとする。
【０１２１】
図１１は、本実施例４に係る資金管理システムのシステム構成を示す機能ブロック図である。同図に示すように、売上金回収用カセット２８を用いて売上金の入金をおこなう場合には、レジスタ２０、管理装置１０、売上金入金機４０および出退勤端末装置５０が関与することになる。なお、実施例３に示した機能部と同様の機能を有する機能部については同一符号を付すこととしてその詳細な説明を省略する。
【０１２２】
レジスタ２０は、インターフェース部（Ｉ／Ｆ）２１、入力部２２、表示部２３、印字部２４、制御部２５および貨幣処理機２６を有しており、この制御部２５は、ＩＣタグ書込処理部２５ｋを有する。なお、ＩＣタグ書込処理部２５ｋ以外の機能部は実施例３のものと同様の機能部であるため、ここではその説明を省略する。ＩＣタグ書込処理部２５ｋは、売上金回収用カセット２８に付設されたＩＣタグ２８ａに対してレジスタＩＤを格納する処理をおこなう。かかるレジスタＩＤをＩＣタグ２８ａに格納する理由は、売上金入金機４０に装着された売上金回収用カセット２８の適否を判定するためである。なお、ＩＣタグ書込処理部２５ｋ以外の機能部は、図８に示した実施例３と同様との処理をおこなうものである。
【０１２３】
管理装置１０は、入力部１１、表示部１２、記憶部１３、制御部１４およびインターフェース部（Ｉ／Ｆ）１５を有する。制御部１４は、データ転送処理部１４ａおよび消込制御部１４ｂを有する。このデータ転送処理部１４ａおよび消込制御部１４ｂは図８に示した実施例３と同様の処理をおこなうものである。
【０１２４】
売上金入金機４０は、閉店時などの所定の締め時に各レジスタ２０に装着された売上金回収用カセット２８を受け付ける装置であり、表示部４１、制御部４２、貨幣収納部４３およびインターフェース部４４を有する。制御部４２は、売上金入金機４０の全体を制御する制御部であり、担当者ＩＤ認識部４２ａ、判定部４２ｂ、入金受付処理部４２ｃ、入金処理部４２ｄ、入金完了通知部４２ｅおよびＩＣタグ読取処理部４２ｆを有する。なお、図示省略したが、この売上金入金機４０には、売上金回収用カセット２８を装着可能に構成されている。
【０１２５】
担当者ＩＤ認識部４２ａ、判定部４２ｂ、入金受付処理部４２ｃ、入金処理部４２ｄおよび入金完了通知部４２ｅは、図８に示した実施例３のものと同様の処理をおこなう機能部であり、売上金回収用カセット２８が対象となる点のみが異なる。ＩＣタグ読取処理部４２ｆは、売上金回収用カセット２８に付設されたＩＣタグ２８ａに記憶したレジスタＩＤを読み取る処理部である。ただし、本実施例４では、ＩＣタグ２８ａにレジスタＩＤのみを記憶することとしたが、売上金の金額をも書き込むようにすることもできる。ここでは、売上金回収用カセット２８からレジ係員が貨幣を取り出すことはできないとの前提に立って、レジスタＩＤのみを格納することとした。
【０１２６】
次に、図１１に示したレジスタ２０、管理装置１０および売上金入金機４０の処理手順について説明する。図１２は、図１１に示したレジスタ２０、管理装置１０、売上金入金機４０および出退勤端末装置の処理手順を示すフローチャートであり、図１３−１〜図１３−４は、レジ係員が売上金回収用カセット２８を用いて売上金の入金をおこなう場合の概要およびその時点で受け渡されるデータの概要を示す図である。なお、実施例１と同様に、出退勤端末装置５０においては、出勤の受付（ステップＳ４０１）および出勤時刻などの出力（ステップＳ４０２）が既になされており、レジスタ２０においては、担当者ＩＤの登録（ステップＳ４０３）が既になされているものとする。
【０１２７】
図１３−１に示したように、レジ係員がレジスタ２０内の売上金を売上金入金機４０に入金する場合には、レジ係員はレジスタ２０において所定の操作をおこない、自己が所持するＩＤカードをレジスタ２０にリードさせる。そうすると、担当者ＩＤ認識（ステップＳ４０４）がおこなわれ、当該入金依頼を行なったレジ員の担当者ＩＤが保持される。そして、レジスタ２０にあらかじめ登録されているレジ員の担当者ＩＤと入金依頼を行なったレジ員の担当者ＩＤを比較して両者が一致するか否かを判定する（ステップＳ４０５）。レジスタ２０を担当するレジ員により入金依頼が行なわれた場合（ステップＳ４０５肯定）には、入金依頼処理部２５ｊは管理装置１０に対して、担当者ＩＤ、出金金額およびレジスタＩＤを含む入金依頼データ１３ｅを送信する（ステップＳ４０６）とともに、ＩＣタグ２８ａにレジスタＩＤを格納し（ステップＳ４０７）、レジ係員に対してレジスタ２０から売上金回収用カセット２８の取り外しを許可する（ステップＳ４０８）。そして、ＩＤカードを所持したレジ係員は、売上金回収用カセット２８を持参して売上金入金機４０に赴く。一方、レジスタ２０を担当するレジ員以外のレジ員により入金依頼が行なわれた場合には（ステップ４０５否定）、表示部２３にエラー表示をするなどのエラー処理（ステップＳ４０９）を行なうとともに、入金依頼を許可しない。
【０１２８】
この入金依頼データ１３ｅを受信した管理装置１０は、データ転送処理部１４ａにより入金依頼データ１３ｅを記憶部１３に格納した後に（ステップＳ４１０）、図１３−１に示したように、この入金依頼データ１３ｅを売上金入金機４０に対して転送する（ステップＳ４１１）。そして、入金依頼データ１３ｅに含まれる担当者ＩＤおよび退勤許可フラグが不許可である退勤管理データ１３ｃを記憶部１３に格納する（ステップＳ４１２）。
【０１２９】
図１３−２に示したように、出金された貨幣を持参して売上金入金機４０に赴くはずであったレジ係員が、この時点で、通用廊下の出退勤端末装置５０にＩＤカードをリードさせ退勤の受付（ステップＳ４１３）をおこなうと、該ＩＤカードから取得した担当者ＩＤを含む退勤許否問いあわせ（ステップＳ４１４）が管理装置１０に対しておこなわれる。管理装置１０は、本問い合わせに対して担当者ＩＤが一致する退勤管理データ１３ｃを記憶部１３からとりだし、出退勤端末装置５０に転送する（ステップＳ４１５）。そして、出退勤端末装置５０は転送された退勤管理データ１３ｃに含まれる退勤許可フラグが許可であるか不許可であるかを判定するが（ステップＳ４１６）、この時点における退勤許可フラグは不許可であるため（ステップＳ４１６否定）、警告処理（ステップＳ４１６）をおこなう。なお、ステップＳ４１６が否定であるため、出力処理（ステップＳ４１７）はおこなわれない。
【０１３０】
図１３−３に示したように、売上金入金機４０に赴いたレジ係員は、所持するＩＤカードを売上金入金機４０にリードさせる。そうすると、担当者ＩＤ認識（ステップＳ４２０）がおこなわれ、当該リード処理をおこなったレジ員の担当者ＩＤが保持される。そして、入金依頼データ１３ｅに含まれる担当者ＩＤと当該リード処理をおこなったレジ員の担当者ＩＤを比較して両者が一致するか否かを判定する（ステップＳ４２０）。両担当者ＩＤが一致する場合、すなわち、レジスタ２０において入金依頼を行なったレジ係員本人であると確認された場合には、売上金回収用カセット２８の装着が許可され、レジ係員は、持参した売上金回収用カセット２８を売上金入金機４０に装着する（ステップＳ４２２）。一方、レジスタ２０において入金依頼を行なったレジ係員と異なるレジ係員と確認された場合には（ステップＳ４２０否定）、表示部４１にエラー表示をするなどのエラー処理（ステップＳ４２６）をおこなうとともに、入金を許可しない。
【０１３１】
売上金入金機４０が、入金依頼データ１３ｅを受け付けるとともに、レジ係員が持参した売上金回収用カセット２８が装着されたならば（ステップＳ４２１）、判定部４２ｂが、入金依頼データ１３ｅに含まれるレジスタＩＤと売上金回収用カセット２８のＩＣタグ２８ａから読み取ったレジスタＩＤとを比較し、両者が一致するか否かを判定する（ステップＳ４２３）。そして、両者が一致しない場合には（ステップＳ４２３否定）エラー処理をおこない（ステップＳ４２６）、両者が一致する場合には（ステップＳ４２３肯定）、入金処理部４２ｄが売上金回収用カセット２８から売上金を取得する入金処理をおこなった後に（ステップＳ４２４）、図１３−３に示したように入金完了データを管理装置１０に対して送信する（ステップＳ４２５）。この入金完了データには、担当者ＩＤおよびレジスタＩＤを含ませておく。
【０１３２】
管理装置１０がこの入金完了データを受け付けたならば、消込制御部１４ｂが記憶部１３に記憶した入金依頼データ１３ｅの消し込み処理をおこなう（ステップＳ４２７）とともに、入金完了データに含まれる担当者ＩＤと一致する退勤管理データ１３ｃの退勤許可フラグを許可に設定する（ステップＳ４２８）。
【０１３３】
図１３−４に示したように入金依頼処理が完了したこの時点で、ＩＤカードを持参したレジ係員が通用廊下の出退勤端末装置５０にＩＤカードをリードさせ退勤の受付をおこなうと（ステップＳ４２９）、該ＩＤカードから取得した担当者ＩＤを含む退勤許否問いあわせ（ステップＳ４３０）が管理装置１０に対しておこなわれる。管理装置１０は、本問い合わせに対して担当者ＩＤが一致する退勤管理データ１３ｃを記憶部１３からとりだし、出退勤端末装置５０に転送する（ステップＳ４３１）。そして、出退勤端末装置５０は転送された退勤管理データ１３ｃに含まれる退勤許可フラグが許可であるか不許可であるかを判定するが（ステップＳ４３２）、この時点における退勤許可フラグは許可であるため（ステップＳ４３２肯定）、退勤時刻などの出力処理をおこなう（ステップＳ４３３）。なお、ステップＳ４３２が肯定であるため、警告処理（ステップＳ４３４）はおこなわれない。
【０１３４】
上記一連の処理をおこなうことにより、レジスタ２０から売上金回収用カセット２８を用いて出金した売上金が売上金入金機４０へ適正に入金されるまでは、管理装置１０の記憶部１３に入金依頼データ１３ｅが残るため、どのレジスタ２０において売上金入金時の不正やミスが発生したかを把握することができる。また、レジスタ２０における入金依頼、売上金入金機４０における入金の際に、ＩＤカードによりレジ員を確認する構成としたので、どのレジ員について不正やミスが発生したかを把握することができる。
【０１３５】
上述してきたように、本実施例４では、レジスタ２０から売上金回収用カセット２８を取り外す時にＩＣタグ２８ａにレジスタＩＤを格納するとともに、管理装置１０は該レジスタ２０から送信された入金依頼データ１３ｄを記憶部１３に格納し、売上金入金機４０は売上金回収用カセット２８を装着された際に、ＩＣタグ２８ａからレジスタＩＤを読み取って入金依頼データ１３ｅのレジスタＩＤと比較して売上金回収用カセット２８の適否を判定し、正しいと判定した場合に、売上金回収用カセット２８から売上金を入金するとともに入金完了データを管理装置１０に送信し、管理装置が入金依頼データ１３ｅの消し込み処理をおこなうよう構成したので、レジ係員が売上金回収用カセット２８を用いてレジスタ２０から出金した売上金を売上金入金機４０へ入金する場合に、レジスタ２０および売上金入金機４０の入出金を正確に把握することができる。また、レジスタ２０における入金依頼および売上金入金機における売上金回収用カセット２８の装着の際に、ＩＤカードによりレジ員を確認する構成としたので、どのレジ員について不正やミスが発生したかを把握することができる。さらに、本実施例４では、入金依頼から入金処理が完了するまでの入金処理未完状態の退勤管理データを管理装置１０において管理し、入金処理未完状態においてレジ係員が出退勤端末装置５０で退勤処理をおこなうと警告を発するよう構成したので、もって人手を介した貨幣の入金に伴う不正やミスを防止することができる。
【０１３６】
なお、上記実施例１〜４では、レジスタ２０〜両替補充機３０間の両替・補充、レジスタ２０〜売上金入金機４０間の売上金の入金をおこなう場合について説明したが、本発明はこれに限定されるものではなく、店舗に配設される各種貨幣処理機間で人手を介して貨幣が受け渡される場合に広く適用することができる。
【産業上の利用可能性】
【０１３７】
本発明にかかる資金管理システムは、店舗に配設される各種貨幣処理機間で人手を介して貨幣が受け渡される場合に有用である。
【図面の簡単な説明】
【０１３８】
【図１】本発明に係る資金管理システムを採用した店舗内の概略構成を示す図である。
【図２】本実施例１に係る資金管理システムのシステム構成を示す機能ブロック図である。
【図３】図２に示したレジスタ、管理装置、両替補充機および出退勤端末装置の処理手順を示すフローチャートである。
【図４−１】レジ係員が両替をおこなう場合の概要およびその時点で受け渡されるデータの概要を示す図である。
【図４−２】レジ係員が両替をおこなう場合の概要およびその時点で受け渡されるデータの概要を示す図である。
【図４−３】レジ係員が両替をおこなう場合の概要およびその時点で受け渡されるデータの概要を示す図である。
【図４−４】レジ係員が両替をおこなう場合の概要およびその時点で受け渡されるデータの概要を示す図である。
【図４−５】レジ係員が両替をおこなう場合の概要およびその時点で受け渡されるデータの概要を示す図である。
【図４−６】レジ係員が両替をおこなう場合の概要およびその時点で受け渡されるデータの概要を示す図である。
【図４−７】レジ係員が両替をおこなう場合の概要およびその時点で受け渡されるデータの概要を示す図である。
【図５】本実施例２に係る資金管理システムのシステム構成を示す機能ブロック図である。
【図６】図５に示したレジスタ、管理装置、両替補充機および出退勤端末装置の処理手順を示すフローチャートである。
【図７−１】レジ係員が補充をおこなう場合の概要およびその時点で受け渡されるデータの概要を示す図である。
【図７−２】レジ係員が補充をおこなう場合の概要およびその時点で受け渡されるデータの概要を示す図である。
【図７−３】レジ係員が補充をおこなう場合の概要およびその時点で受け渡されるデータの概要を示す図である。
【図７−４】レジ係員が補充をおこなう場合の概要およびその時点で受け渡されるデータの概要を示す図である。
【図７−５】レジ係員が補充をおこなう場合の概要およびその時点で受け渡されるデータの概要を示す図である。
【図７−６】レジ係員が補充をおこなう場合の概要およびその時点で受け渡されるデータの概要を示す図である。
【図８】本実施例３に係る資金管理システムのシステム構成を示す機能ブロック図である。
【図９】図８に示したレジスタ、管理装置、売上金入金機および出退勤端末装置の処理手順を示すフローチャートである。
【図１０−１】レジ係員が現金で売上金入金をおこなう場合の概要およびその時点で受け渡されるデータの概要を示す図である。
【図１０−２】レジ係員が現金で売上金入金をおこなう場合の概要およびその時点で受け渡されるデータの概要を示す図である。
【図１０−３】レジ係員が現金で売上金入金をおこなう場合の概要およびその時点で受け渡されるデータの概要を示す図である。
【図１０−４】レジ係員が現金で売上金入金をおこなう場合の概要およびその時点で受け渡されるデータの概要を示す図である。
【図１１】本実施例４に係る資金管理システムのシステム構成を示す機能ブロック図である。
【図１２】図１１に示したレジスタ、管理装置、売上金入金機および出退勤端末装置の処理手順を示すフローチャートである。
【図１３−１】レジ係員が売上金入金カセットを用いて売上金入金をおこなう場合の概要およびその時点で受け渡されるデータの概要を示す図である。
【図１３−２】レジ係員が売上金入金カセットを用いて売上金入金をおこなう場合の概要およびその時点で受け渡されるデータの概要を示す図である。
【図１３−３】レジ係員が売上金入金カセットを用いて売上金入金をおこなう場合の概要およびその時点で受け渡されるデータの概要を示す図である。
【図１３−４】レジ係員が売上金入金カセットを用いて売上金入金をおこなう場合の概要およびその時点で受け渡されるデータの概要を示す図である。
【符号の説明】
【０１３９】
１  資金管理システム
１０  管理装置
１１  入力部
１２  表示部
１３  記憶部
１３ａ  両替依頼データ
１３ｂ  両替金出金データ
１３ｃ  退勤管理データ
１３ｄ  補充依頼データ
１３ｅ  入金依頼データ
１４  制御部
１４ａ  データ転送処理部
１４ｂ  消込制御部
１４ｃ  判定部
１５  インターフェース部（Ｉ／Ｆ）
２０  レジスタ
２１  インターフェース部（Ｉ／Ｆ）
２２  入力部
２３  表示部
２４  印字部
２５  制御部
２５ａ  担当者ＩＤ登録部
２５ｂ  担当者ＩＤ認識部
２５ｃ  判定部
２５ｄ  両替依頼処理部
２５ｅ  出金受付部
２５ｆ  入金受付処理部
２５ｇ  入金完了通知部
２５ｈ  補充依頼処理部
２５ｉ  補充完了通知部
２５ｊ  入金依頼処理部
２５ｋ  ＩＣタグ書込処理部
２６  貨幣処理機
３０  両替補充機
３１  表示部
３２  制御部
３２ａ  担当者ＩＤ認識部
３２ｂ  判定部
３２ｃ  入金受付処理部
３２ｄ  両替処理部
３２ｅ  両替金出金通知部
３２ｆ  出金処理部
３２ｇ  出金完了通知部
３３  貨幣処理機
３４  インターフェース部（Ｉ／Ｆ）
４０  売上金入金機
４１  表示部
４２  制御部
４２ａ  担当者ＩＤ認識部
４２ｂ  判定部
４２ｃ  入金受付処理部
４２ｄ  入金処理部
４２ｅ  入金完了通知部
４２ｆ  ＩＣタグ読取処理部
４３  貨幣収納部
４４  インターフェース部（Ｉ／Ｆ）
５０  出退勤端末装置
５１  インターフェース部（Ｉ／Ｆ）
５２  入力部
５３  出力部
５４  制御部
５４ａ  判定部
５４ｂ  警告部
【図１】
2005275806.tif 000003
【図２】
2005275806.tif 000004
【図３】
2005275806.tif 000005
【図４−１】
2005275806.tif 000006
【図４−２】
2005275806.tif 000007
【図４−３】
2005275806.tif 000008
【図４−４】
2005275806.tif 000009
【図４−５】
2005275806.tif 000010
【図４−６】
2005275806.tif 000011
【図４−７】
2005275806.tif 000012
【図５】
2005275806.tif 000013
【図６】
2005275806.tif 000014
【図７−１】
2005275806.tif 000015
【図７−２】
2005275806.tif 000016
【図７−３】
2005275806.tif 000017
【図７−４】
2005275806.tif 000018
【図７−５】
2005275806.tif 000019
【図７−６】
2005275806.tif 000020
【図８】
2005275806.tif 000021
【図９】
2005275806.tif 000022
【図１０−１】
2005275806.tif 000023
【図１０−２】
2005275806.tif 000024
【図１０−３】
2005275806.tif 000025
【図１０−４】
2005275806.tif 000026
【図１１】
2005275806.tif 000027
【図１２】
2005275806.tif 000028
【図１３−１】
2005275806.tif 000029
【図１３−２】
2005275806.tif 000030
【図１３−３】
2005275806.tif 000031
【図１３−４】
2005275806.tif 000032